【手続補正書】
【提出日】平成17年3月10日(2005.3.10)
【手続補正１】
【補正対象書類名】特許請求の範囲
【補正対象項目名】全文
【補正方法】変更
【補正の内容】
【特許請求の範囲】
【請求項１】
基材、記録層及び反射層を含む光学記録媒体であって、前記記録層が、式
【化１】
2004532141.tif 000001
（式中、
Ａ1及びＡ2は、互いに独立して、Ｃ（Ｃ1〜Ｃ5アルキル）2、Ｃ（Ｃ4〜Ｃ5アルキレン）、Ｎ（Ｒ15）、Ｏ、Ｓ、Ｓｅ、又は非置換であるか、Ｒ16で置換されているＣＨ＝ＣＨであり、
Ｑは、
【化２】
2004532141.tif 000002
であり、
Ｘ-は、１個の負の電荷を有する無機アニオン、有機アニオン、もしくは好ましくは有機金属アニオン、又はｘ個の負の電荷を有する無機アニオン、有機アニオンもしくは有機金属アニオンの１／ｘ個又はそれらの混合物であり（ｘは、２〜４の数である）、
Ｒ1、Ｒ2、Ｒ7、Ｒ8及びＲ15は、互いに独立して、それぞれ非置換であるか、一つ以上の場合によっては同一又は異なるＲ18基によって置換されているＣ1〜Ｃ24アルキル、Ｃ3〜Ｃ24シクロアルキル、Ｃ1〜Ｃ4アルキル−〔Ｏ−Ｃ1〜Ｃ4アルキレン〕m、Ｃ1〜Ｃ4アルキル−〔ＮＨ−Ｃ1〜Ｃ4アルキレン〕m、Ｃ2〜Ｃ24アルケニルもしくはＣ3〜Ｃ24シクロアルケニル、又はそれぞれ非置換であるか、一つ以上の場合によっては同一又は異なるＲ19基によって置換されているＣ6〜Ｃ12アリール、Ｃ4〜Ｃ12ヘテロアリールもしくはＣ7〜Ｃ12アラルキルであるか、あるいは、
Ｒ1とＲ2とが、いっしょに一組として、それぞれ非置換であるか、一つ以上の場合によっては同一又は異なるＲ18基によって置換されているＣ1〜Ｃ24アルキレン、Ｃ3〜Ｃ24シクロアルキレン、Ｃ2〜Ｃ24アルケニレン、Ｃ3〜Ｃ24シクロアルケニレン又はＣ7〜Ｃ12アラルキレンであり、
Ｒ3、Ｒ4、Ｒ5、Ｒ6、Ｒ9、Ｒ10、Ｒ11、Ｒ12、Ｒ13、Ｒ14及びＲ16は、互いに独立して、水素、Ｒ19、それぞれ非置換であるか、一つ以上の場合によっては同一又は異なるＲ18基によって置換されているＣ1〜Ｃ12アルキル、Ｃ3〜Ｃ12シクロアルキル、Ｃ2〜Ｃ24アルケニルもしくはＣ3〜Ｃ24シクロアルケニル、又はそれぞれ非置換であるか、一つ以上の場合によっては同一又は異なるＲ19基によって置換されているＣ6〜Ｃ12アリール、Ｃ4〜Ｃ12ヘテロアリールもしくはＣ7〜Ｃ12アラルキルであるか、あるいは、
Ｒ3とＲ4及び／又はＲ5とＲ6、ならびにＲ9とＲ10及び／又はＲ11とＲ12が、各場合ともいっしょに一組として、非置換であるか、一つ以上の場合によっては同一又は異なるＲ19基によって置換されている１，４−ブタ−１，３−ジエニレンであり、その結果、共通のフェニルといっしょになってナフチルが形成されており、
式（Ｉ）、（II）、（III）又は（IV）の二、三又は四つ以上の化合物が、直接結合によって結合されているか、各置換基Ｒ1及び／又はＲ2、Ｒ3及び／又はＲ4、あるいはＲ9及び／又はＲ10の間の−ＮＨ−、−ＮＲ15−、−Ｏ−、−ＣＯ−、−Ｓ−、−ＳＯ−、−ＳＯ2−、Ｃ1〜Ｃ12アルキレン又はＣ3〜Ｃ12シクロアルキレン橋掛けによって結合されていることができ、
Ｒ17は、水素、それぞれ非置換であるか、一つ以上の場合によっては同一又は異なるハロゲン、ヒドロキシ、Ｃ1〜Ｃ12アルコキシ又はＣ3〜Ｃ12シクロアルコキシ基によって置換されているＣ1〜Ｃ12アルコキシ、Ｃ3〜Ｃ12シクロアルコキシ、Ｃ1〜Ｃ12アルキルチオ、Ｃ3〜Ｃ12シクロアルキルチオ、ニトロ、シアノ、ホルミル、Ｃ1〜Ｃ12アルキル、Ｃ3〜Ｃ12シクロアルキル、Ｃ2〜Ｃ12アルケニルもしくはＣ3〜Ｃ12シクロアルケニル、又はそれぞれ非置換であるか、一つ以上の場合によっては同一又は異なるＲ19基によって置換されているＣ6〜Ｃ12アリール、Ｃ4〜Ｃ12ヘテロアリールもしくはＣ7〜Ｃ12アラルキルであり、
Ｒ18は、ハロゲン、ヒドロキシ、Ｏ−Ｒ20、Ｏ−ＣＯ−Ｒ20、Ｓ−Ｒ20、アミノ、ＮＨ−Ｒ20、ＮＲ20Ｒ21、ＮＲ20−ＣＯ−Ｒ22、ＮＲ20ＣＯＯ−Ｒ22、シアノ、ホルミル、ＣＯ−Ｒ20、ＣＯＯ−Ｒ20、カルボキシ、カルバモイル、ＣＯＮＨ−Ｒ20、ＣＯＮＲ20Ｒ21、ウレイド、ＮＲ20−ＣＯ−ＮＨＲ22、ホスファト、ＰＲ20Ｒ22、ＰＯＲ20ＯＲ22、Ｐ（＝Ｏ）ＯＲ20ＯＲ22、ＯＰＲ20Ｒ22、ＯＰＲ20ＯＲ22、ＯＰ（＝Ｏ）Ｒ20ＯＲ22、ＯＰ（＝Ｏ）ＯＲ20ＯＲ22、ＯＰＯ3Ｒ22、スルファトもしくはスルホ、又はそれぞれハロゲンによって一又は多置換されているＣ1〜Ｃ12アルコキシもしくはＣ1〜Ｃ12シクロアルコキシであり、
Ｒ19は、ハロゲン、ニトロ、シアノ、ヒドロキシ、Ｏ−Ｒ23、Ｏ−ＣＯ−Ｒ23、Ｓ−Ｒ23、ホルミル、ＣＨ＝Ｃ（ＣＮ）2、ＣＨ＝Ｃ（ＣＮ）ＣＯＮＨ2、ＣＨ＝Ｃ（ＣＮ）ＣＯＮＨＲ23、ＣＨ＝Ｃ（ＣＮ）ＣＯＮＲ23Ｒ24、ＣＨ＝Ｃ（ＣＮ）ＣＯＯＲ23、ＣＨ＝Ｃ（ＣＯＯＲ23）ＣＯＯＲ24、アミノ、ＮＨＲ23、ＮＲ23Ｒ24、ＣＯＮＨ2、ＣＯＮＨＲ23、ＣＯＮＲ23Ｒ24、ＳＯ2Ｃ1〜Ｃ12アルキル、ＳＯ2ＮＨ2、ＳＯ2ＮＨＲ23、ＳＯ2ＮＲ23Ｒ24、ＣＯＯＨ、ＣＯＲ23、ＣＯＯＲ23、ＮＨＣＯＲ23、ＮＲ23ＣＯＲ25、ＮＨＣＯＯＲ23、ＮＲ23ＣＯＯＲ25、ウレイド、ＮＲ23−ＣＯ−ＮＨＲ25、ホスファト、ＰＲ23Ｒ25、ＰＯＲ23ＯＲ25、Ｐ（＝Ｏ）ＯＲ23ＯＲ25、ＯＰＲ23Ｒ25、ＯＰＲ23ＯＲ25、ＯＰ（＝Ｏ）Ｒ23ＯＲ25、ＯＰ（＝Ｏ）ＯＲ23ＯＲ25、ＯＰＯ3Ｒ23、スルファトもしくはスルホ、又はそれぞれ非置換であるか、一つ以上の場合によっては同一又は異なるＲ18基によって置換されているＣ1〜Ｃ12アルキル、Ｃ3〜Ｃ12シクロアルキル、Ｃ1〜Ｃ12アルキルチオ、Ｃ3〜Ｃ12シクロアルキルチオ、Ｃ1〜Ｃ12アルコキシもしくはＣ3〜Ｃ12シクロアルコキシであり、
Ｒ20、Ｒ21及びＲ22は、互いに独立して、Ｃ1〜Ｃ12アルキル、Ｃ3〜Ｃ12シクロアルキル、Ｃ2〜Ｃ12アルケニル、Ｃ3〜Ｃ12シクロアルケニル、Ｃ6〜Ｃ12アリール、Ｃ4〜Ｃ12ヘテロアリール又はＣ7〜Ｃ12アラルキルであるか、あるいは
Ｒ20及びＲ21が、共通の窒素といっしょになって、それぞれ非置換であるか、Ｃ1〜Ｃ4アルキルによって一ないし四置換されているピロリジン、ピペリジン、ピペラジン又はモルホリンであり、
Ｒ23、Ｒ24及びＲ25は、互いに独立して、それぞれ非置換であるか、一つ以上の場合によっては同一又は異なるハロゲン、ヒドロキシ、Ｃ1〜Ｃ12アルコキシ又はＣ3〜Ｃ12シクロアルコキシ基によって置換されているＣ1〜Ｃ12アルキル、Ｃ3〜Ｃ12シクロアルキル、Ｃ2〜Ｃ12アルケニルもしくはＣ3〜Ｃ12シクロアルケニル、又はそれぞれ非置換であるか、一つ以上の場合によっては同一又は異なるＲ26基によって置換されているＣ6〜Ｃ12アリール、Ｃ4〜Ｃ12ヘテロアリールもしくはＣ7〜Ｃ12アラルキルであるか、あるいは、
Ｒ23及びＲ24が、共通の窒素といっしょになって、それぞれ非置換であるか、Ｃ1〜Ｃ4アルキルによって一ないし四置換されているピロリジン、ピペリジン、ピペラジンもしくはモルホリン、又はそれぞれ非置換であるか、一つ以上の場合によっては同一又は異なるＲ26基によって置換されているカルバゾール、フェノキサジンもしくはフェノチアジンであり、
Ｒ26は、Ｒ18であるか、又はそれぞれ非置換であるか、一つ以上の場合によっては同一又は異なるＲ18基によって置換されているＣ1〜Ｃ12アルキル、Ｃ3〜Ｃ12シクロアルキル、Ｃ1〜Ｃ12アルキルチオ、Ｃ3〜Ｃ12シクロアルキルチオ、Ｃ1〜Ｃ12アルコキシ又はＣ3〜Ｃ12シクロアルコキシであり、そして
ｍは、１〜１０の数である）
の化合物を含む光学記録媒体。
【請求項２】
前記基材が、厚さ１０μm〜１mmであり、深さ１０〜２００nm、幅１００〜４００nmの案内溝をコーティング側に有する、請求項１記載の光学記録媒体。
【請求項３】
前記記録層が、案内溝中で厚さ２０〜１５０nmであり、表面の残り部分で厚さ０〜３０nmである、請求項１記載の光学記録媒体。
【請求項４】
基材、記録層及び反射層を含み、前記記録層が、不飽和非芳香族性炭素−炭素結合を有する請求項１記載の式（Ｉ）、（II）、（III）又は（IV）の化合物からなる群より選択される化合物の単独重合又は共重合から得られるポリマーを含む光学記録媒体。
【請求項５】
データを記録又は再生する方法であって、請求項１、２、３又は４記載の光学記録媒体上３５０〜５００nmの波長でデータを記録又は再生することを含む方法。
【請求項６】
以下の配置で、
ａ）反射金属又は好ましくは反射金属層を有するポリマーからなる支持材料、
ｂ）光学記録層、
ｃ）金属、架橋有機金属又は誘電性無機物質からなる分離層、及び
ｄ）カバー層
を含む光学記録媒体。
【請求項７】
データを記録又は再生する方法であって、請求項６記載の光学記録媒体上に３５０〜５００nmの波長でデータを記録又は再生することを含む方法。
【請求項８】
分岐鎖状Ｃ3〜Ｃ24アルキル又は分岐鎖状Ｃ3〜Ｃ24アルケニルを含有する、請求項１記載の式（Ｉ）、（II）、（III）又は（IV）の化合物。
【請求項９】
Ｘ-が、有機アニオンであるか、又は好ましくは有機金属アニオンである、請求項１又は７記載の式（Ｉ）、（II）、（III）又は（IV）の化合物。
【請求項１０】
遷移金属メタロセン部分、好ましくは
【化４】
2004532141.tif 000003
を含む、請求項１記載の式（Ｉ）、（II）、（III）又は（IV）の化合物。
【請求項１１】
請求項１記載の式（Ｉ）又は（III）の化合物、好ましくは式（Ｉ）の化合物であって、ただし、
・ＱがＮであり、Ａ1及びＡ2がいずれもＳであり、Ｒ1及びＲ2が非置換の直鎖状Ｃ1〜Ｃ18アルキル又はヒドロキシもしくはスルホ置換されている直鎖状Ｃ1〜Ｃ3アルキルであり、Ｒ3及びＲ5がいずれもＨ、ハロゲン又はＯＲ23である式（Ｉ）の化合物又はその塩、
・ＱがＮ又はＰであり、Ａ1及びＡ2がいずれもＮ（Ｒ15）であり、Ｒ1及びＲ2が、それぞれＣ1〜Ｃ2アルキルであるか、いっしょになってＣ1〜Ｃ3アルキレンであり、Ｒ3、Ｒ4、Ｒ5及びＲ6がすべて水素であり、Ｒ15がＣ1〜Ｃ2アルキルである式（Ｉ）の化合物、ならびに
・ＱがＮであり、Ａ1及びＡ2がいずれもＳであり、Ｒ1及びＲ2がいずれもメチルであり、Ｒ10及びＲ12がいずれも非置換フェニルであり、Ｒ9及びＲ11がいずれも水素である式（III）の化合物
からなる群の化合物ではない化合物。